【手続補正書】
【提出日】平成20年1月28日(2008.1.28)
【手続補正１】
【補正対象書類名】明細書
【補正対象項目名】特許請求の範囲
【補正方法】変更
【補正の内容】
【特許請求の範囲】
【請求項１】  冠状湾曲部に隣接する僧帽弁環状部を改善するための医療装置であって、
基端部と末端部とを有する細長体を具え、前記基端部および末端部の各々は、血管系内に完全に存在するような寸法にされており、前記細長体は、前記冠状湾曲部の少なくとも一部にトランスルミナルに送給されるようにした第１形状を有する第１形態と、前記冠状湾曲部に隣接する僧帽弁環状部を改善するための第２形状を有する第２形態へと移動可能である、細長体と、
前記細長体を前記第１トランスルミナル形態から、前記第２改善形態に操作するため、前記細長体に取り付けられた形成素子と、
前記細長体を第２形態で、少なくとも一部、前記冠状湾曲部内に保持するロックとを有することを特徴とする医療装置。
【請求項２】  前記形成素子が、取付け位置で前記細長体に固定されており、そして前記細長体を前記第１形態と第２形態との間で前記冠状湾曲部内で調節するために、前記形成素子が前記細長体に対して移動可能である、請求項１に記載の医療装置。
【請求項３】  前記細長体が前記第２形態で、少なくとも一部、前記冠状湾曲部内に位置している間に、前記形成素子が切断されるように構成されている、請求項２に記載の医療装置。
【請求項４】  前記細長体が少なくとも一部、前記冠状湾曲部内に位置している間に、前記形成素子を切断するように構成されている切断工具を更に具える請求項３に記載の医療装置。
【請求項５】  前記改善形態にある場合に、前記細長体は円弧を画成する、請求項１に記載の医療装置。
【請求項６】  前記円弧に対応する最良適合の一定半径曲線が約１０ｍｍ〜約２０ｍｍの範囲内の半径を有している請求項５に記載の医療装置。
【請求項７】  前記ロックはロックリングを具える請求項１に記載の医療装置。
【請求項８】  前記ロックは締まり嵌めを有する請求項１に記載の医療装置。
【請求項９】  前記ロックは接着結合を有する請求項１に記載の医療装置。
【請求項１０】  前記ロックは縫合糸の結び目を有する請求項１に記載の医療装置。
【請求項１１】  前記ロックはクランプを有する請求項１に記載の医療装置。
【請求項１２】  前記ロックは圧縮嵌合を有する請求項１に記載の医療装置。
【請求項１３】  前記ロックはラチェットを有する請求項１に記載の医療装置。
【請求項１４】  前記ロックは掛合面を有し、前記掛合面は第１離脱形態と、第２掛合形態との間に移動することができる、請求項１に記載の医療装置。
【請求項１５】  前記ロックはロック方向に押圧される請求項１に記載の医療装置。
【請求項１６】  前記ロックはアンロック方向に押圧される請求項１に記載の医療装置。
【請求項１７】  本体にコーティングをさらに有する請求項１に記載の医療装置。
【請求項１８】  前記装置は、前記形成素子の基端方向への後退に応答して、移植形態から前記改善形態へと移動することができる請求項１に記載の医療装置。
【請求項１９】  前記装置は、前記形成素子の末端方向への前進に応答して、移植形態から前記改善形態へと移動することができる請求項１に記載の医療装置。
【請求項２０】  血管内の展開位置に前記装置を保持するアンカーを更に具える請求項１に記載の医療装置。
【請求項２１】  前記アンカーは前記装置の末端延長部を具える請求項２０に記載の医療装置。
【請求項２２】  前記アンカーは前記血管の壁に掛合するための摩擦増加面を具えている請求項２０の医療装置。
【請求項２３】  前記アンカーは前記血管の壁に挿通する少なくとも１個のとげを具える請求項２０の医療装置。
【請求項２４】  前記装置は、約１０ｃｍ以下の軸線方向長さを有する、請求項１に記載の医療装置。
【請求項２５】  前記装置を通る最大断面寸法は、約１０ｍｍ以下である、請求項２４に記載の利用装置。
【請求項２６】  前記形成素子に取り付けられた、本体内で軸線方向に延びる支持体をさらに具える、請求項１に記載の医療装置。
【請求項２７】  前記形成素子は重合体のストランドを具える請求項１に記載の利用装置。
【請求項２８】  前記形成素子は金属のワイヤを具える請求項１に記載の利用装置。
【請求項２９】  前記形成素子は多繊維の構造体を具える請求項１に記載の利用装置。
【請求項３０】  冠状湾曲部に隣接する僧帽弁環状部を改善するための医療装置であって、
基端部と末端部とを有する細長体を具え、前記基端部および末端部の各々は、血管系内に完全に存在するような寸法にされており、前記細長体は、前記冠状湾曲部の少なくとも一部にトランスルミナルに送給されるようにした第１形状を有する第１形態と、前記冠状湾曲部に隣接する僧帽弁環状部を改善するための第２形状を有する第２形態へと移動可能である、細長体と、
前記細長体を前記第１トランスルミナル形態から、前記第２改善形態に操作するため、前記細長体に取り付けられた形成素子であって、前記形成素子が、取付け位置で前記細長体に固定されており、そして前記細長体を前記第１形態と第２形態との間で前記冠状湾曲部内で調節するために前記細長体に対して移動可能であり、前記形成素子は、前記細長体が前記第２形態で、少なくとも一部、前記冠状湾曲部内に位置している間に切断されるように構成されている、形成素子と、
前記細長体が少なくとも一部、前記冠状湾曲部内に位置している間に、前記形成素子を切断するように構成されている切断工具とを有し、
前記細長体は、前記第１形態と第２形態との間で前記形成素子によって操作される際に、実質的に一定に長さを維持する、医療装置。
【請求項３１】  冠状湾曲部に隣接する僧帽弁環状部を改善するための医療装置であって、
基端部と末端部とを有する細長体を具え、前記基端部および末端部の各々は、血管系内に完全に存在するような寸法にされており、前記細長体は、前記冠状湾曲部の少なくとも一部にトランスルミナルに送給されるようにした第１形状を有する第１形態と、前記冠状湾曲部に隣接する僧帽弁環状部を改善するための第２形状を有する第２形態へと移動可能である、細長体と、
前記細長体を前記第１トランスルミナル形態から、前記第２改善形態に操作するため、前記細長体に取り付けられた形成素子であって、前記形成素子が、取付け位置で前記細長体に固定されており、そして前記細長体を前記第１形態と第２形態との間で前記冠状湾曲部内で調節するために前記細長体に対して移動可能であり、前記形成素子は、前記細長体が前記第２形態で、少なくとも一部、前記冠状湾曲部内に位置している間に切断されるように構成されている、形成素子と、
前記細長体が少なくとも一部、前記冠状湾曲部内に位置している間に、前記形成素子を切断するように構成されている切断工具とを有し、
前記細長体は、前記第１形態と第２形態との間で調整される間に、比較的非圧縮性である、医療装置。
【請求項３２】  冠状湾曲部に隣接する僧帽弁環状部を改善するための医療装置であって、
基端部と末端部とを有する細長体を具え、前記基端部および末端部の各々は、血管系内に完全に存在するような寸法にされており、前記細長体は、前記冠状湾曲部の少なくとも一部にトランスルミナルに送給されるようにした第１形状を有する第１形態と、前記冠状湾曲部に隣接する僧帽弁環状部を改善するための第２形状を有する第２形態へと移動可能である、細長体と、
前記細長体を前記第１トランスルミナル形態から、前記第２改善形態に操作するため、前記細長体に取り付けられた形成素子であって、前記形成素子が、取付け位置で前記細長体に固定されており、そして前記細長体を前記第１形態と第２形態との間で前記冠状湾曲部内で調節するために前記細長体に対して移動可能であり、前記形成素子は、前記細長体が前記第２形態で、少なくとも一部、前記冠状湾曲部内に位置している間に切断されるように構成されている、形成素子と、
前記細長体が少なくとも一部、前記冠状湾曲部内に位置している間に、前記形成素子を切断するように構成されている切断工具とを有し、
前記細長体は、前記冠状湾曲部で、前記第１形態と第２形態との間で選択的に調整可能である、医療装置。